(57)【要約】【課題】連結軸およびナットの落下を防止することができるようにした安全性に優れたシャックルを提供することである。【解決手段】シャックル本体１の対向一対の軸部３における先端部に挿入孔４を設け、その挿入孔４に対して抜き差し可能なボルトから成る頭部付きの連結軸１０およびその連結軸１０の先端部にねじ係合されるナット２０のそれぞれを線材３４、３６でシャックル本体１に連結して、連結軸１０から取り外されたナット２０および挿入孔４から引き抜かれた連結軸１０の落下を防止して安全性の向上を図る。【選択図】図１
2005024091.tif 000002
【特許請求の範囲】
【請求項１】
屈曲部の両端部に対向一対の軸部を連設したＵ字形のシャックル本体と、前記軸部の先端部それぞれに形成された挿入孔に抜き差し可能な頭部付きの連結軸とを有するシャックルにおいて、前記シャックル本体と連結軸の頭部間に、前記挿入孔から引き抜かれた連結軸をシャックル本体に対して連結状態に保持する脱落防止手段を設けたことを特徴とするシャックル。
【請求項２】
前記脱落防止手段が、前記シャックル本体の軸部に一端部が連結され、他端部が連結軸の頭部に連結された可とう性を有する線材から成る請求項１に記載のシャックル。
【請求項３】
前記脱落防止手段が、両端にリングを有し、一端のリングが前記軸部に嵌合されて、その軸部の端部に成形された扁平部により抜け止めされ、他端のリングが連結軸の頭部外周に形成されたリング溝に回転自在に嵌合されて抜け止めされた可とう性を有する線材から成る請求項１に記載のシャックル。
【請求項４】
前記連結軸がボルトから成り、そのボルトの先端部にねじ係合されて連結軸を抜け止めするナットとシャックル本体の相互間に、連結軸から取外しされたナットをシャックル本体に対して連結状態に保持する脱落防止手段を設けた請求項１乃至３のいずれかに記載のシャックル。
【請求項５】
前記脱落防止手段が、両端にリングを有し、一端のリングが前記軸部に嵌合されて軸部の端部に形成された扁平部により抜け止めされ、他端のリングがナットの外周に形成されたリング溝に回転自在に嵌合されて抜け止めされた可とう性を有する線材から成る請求項４に記載のシャックル。
【発明の詳細な説明】
【技術分野】
【０００１】
この発明は、建設資材等の吊上げ対象物を高所に吊り上げる場合に用いられるシャックルに関するものである。
【背景技術】
【０００２】
この種のシャックルは、シャックル本体と、連結軸とから成り、シャックル本体は屈曲部の両端に一対の軸部が連設されたＵ字形とされ、その一対の軸部先端部に形成された挿入孔に前記連結軸が抜き差し自在に挿入されて抜け止めされている。
【０００３】
連結軸は普通、頭部付きのボルトから成っている。この連結軸の抜け止めには、一対の軸部に形成された挿入孔の一方をねじ孔とし、そのねじ孔に連結軸をねじ係合する方法や、連結軸の先端部にナットをねじ係合する方法等が採用されている。
【０００４】
上記の構成から成るシャックルを用いて鉄骨等の建設資材を高所に吊り上げる場合、巻上機の巻上げワイヤにシャックル本体を連結し、そのシャックル本体の一対の軸部に形成された挿入孔を建設資材に設けられた吊下げ孔に一致させ、その吊下げ孔と一対の挿入孔に連結軸を挿入して抜け止めしたのち、巻上げワイヤを巻上機の巻取りドラムで巻取って建設資材を吊り上げるようにしている。
【０００５】
建設資材を所定の高さまで吊上げると、連結軸を引き抜いて、建設資材からシャックルを取り外すようにしている。
【発明の開示】
【発明が解決しようとする課題】
【０００６】
ところで、従来から知られているシャックルにおいては、シャックル本体と連結軸とが非連結の構造であるため、建設資材等の吊上げ対象物からシャックルを取外した際に連結軸を誤って落下させるおそれがあり、きわめて危険であった。
【０００７】
この発明の課題は、連結軸あるいはその連結軸の抜け止め用ナットの落下を防止することができるようにした安全性に優れたシャックルを提供することである。
【課題を解決するための手段】
【０００８】
上記の課題を解決するために、この発明においては、屈曲部の両端部に対向一対の軸部を連設したＵ字形のシャックル本体と、前記軸部の先端部それぞれに形成された挿入孔に抜き差し可能な頭部付きの連結軸とを有するシャックルにおいて、前記シャックル本体と連結軸の頭部間に、前記挿入孔から引き抜かれた連結軸をシャックル本体に対して連結状態に保持する脱落防止手段を設けた構成を採用したのである。
【０００９】
ここで、脱落防止手段として、シャックル本体の軸部に一端部が連結され、他端部が連結軸の頭部に連結された可とう性を有する線材から成るものを採用してもよく、あるいは、両端にリングを有し、一端のリングが前記軸部に嵌合されて、その軸部の端部に成形された扁平部により抜け止めされ、他端のリングが連結軸の頭部外周に形成されたリング溝に回転自在に嵌合されて抜け止めされた可とう性を有する線材から成るものを採用してもよい。
【００１０】
また、連結軸として頭部付きのボルトを採用することができる。そのボルトから成る連結軸は、一対の軸部に形成された挿入孔の一方をねじ孔とし、そのねじ孔に対するねじ係合によって抜け止めしてもよく、あるいは連結軸の先端部にナットをねじ係合して抜け止めしてもよい。
【００１１】
ナットのねじ込みによって連結軸を抜け止めするシャックルにおいては、ナットとシャックル本体の相互間に、連結軸から取外しされたナットをシャックル本体に対して連結状態に保持する脱落防止手段を設けておくようにする。
【００１２】
ナットの脱落防止に際しては、可とう性を有する線材の両端にリングを形成し、一端のリングを前記軸部に嵌合してその軸部の端部に形成された扁平部で抜け止めし、他端のリングをナットの外周に形成されたリング溝に回転自在に嵌合して抜け止めする構成を採用することができる。
【発明の効果】
【００１３】
上記のように、シャックル本体と連結軸の頭部の相互間に連結軸をシャックル本体に連結状態に保持する脱落防止手段を設けたことにより、挿入孔から連結軸を引き抜いて吊上げ対象物からシャックルを取外す作業時に連結軸が落下するのを確実に防止することができ、安全性に優れたシャックルを得ることができる。
【００１４】
また、連結軸の端部にねじ係合されて連結軸を抜け止めするナットとシャックル本体間に脱落防止手段を設けたことにより、連結軸から取外しされたナットの落下を防止し、安全性に優れたシャックルを得ることができる。
【００１５】
さらに、線材の両端にリングを形成し、一方のリングを軸部に嵌合して軸部端部の扁平部によって抜け止めすることにより、上記軸部に連結片や連結孔の形成を不要とすることができるため、コストの安いシャックルを得ることができる。
【００１６】
また、線材の他方のリングを連結軸の頭部やナットの外周に形成されたリング溝に回転自在に嵌合して抜け止めすることによって、線材が連結軸やナットの回転を阻害するようなことはなく、連結軸やナットの取付け、取外しをスムーズに行なうことができる。
【発明を実施するための最良の形態】
【００１７】
以下、この発明の実施の形態を図面に基づいて説明する。図１および図２に示すように、シャックル本体１は、屈曲部２の両端部に一対の軸部３が連設されたＵ字形とされている。一対の軸部３のそれぞれ端部にはほぼ円形の扁平部３ａが形成され、各扁平部３ａに形成された挿入孔４に連結軸１０が抜き差し自在とされている。
【００１８】
連結軸１０はボルトから成り、後端部に頭部１１を有している。また、連結軸１０は先端部にねじ係合されるナット２０によって挿入孔４から抜け出るのが防止される。
【００１９】
連結軸１０とシャックル本体１の相互間には、挿入孔４から引き抜かれた連結軸１０をシャックル本体１に対して連結状態に保持する脱落防止手段３０が設けられている。一方、ナット２０とシャックル本体１の相互間には、連結軸１０から取外しされたナット２０をシャックル本体１に連結状態に保持する脱落防止手段３１が設けられている。
【００２０】
連結軸１０をシャックル本体１に対して連結状態に保持する脱落防止手段３０は、シャックル本体１の一方の軸部３の外側と連結軸１０における頭部１１の表面それぞれに連結孔３３を有する連結片３２ａを設け、その一対の連結片を可とう性を有する線材３４で連結した構成としている。ここで、線材３４は一対の挿入孔４から連結軸１０を完全に引き抜くことができる長さとされている。
【００２１】
一方、ナット２０をシャックル本体１に対して連結状態に保持する脱落防止手段３１は、シャックル本体１の他方の軸部３の外側に連結孔３５を有する連結片３２ｂを設け、その連結片３２ｂに可とう性を有する線材３６の一端部を連結し、線材３６の他端部にリング３７を設け、そのリング３７をナット２０の外周に形成されたリング溝３８に回転自在に嵌合して抜け止めした構成とされている。
【００２２】
ここで、線材３６は連結軸１０からナット２０を完全に取外しできる長さとされている。また、リング３７の形成に際し、ここでは、細長い金属板をリング状に折曲げ、その両端に外向きに連結片３７ａを設け、その連結片３７ａを線材３６の他端部に連結するようにしているが、線材３６の端部を円形に折曲げてその折曲げ端と線材３６の重なり部をスリーブの押し潰しにより互に固定するようにしてもよい。
【００２３】
実施の形態で示すシャックルは上記の構造から成り、建設資材等の吊上げ対象物の吊上げに際しては、図１および図２に鎖線で示すように、巻上機の巻上げワイヤＡの先端部にシャックルを取付け、そのシャックルを吊上げ対象物Ｂに連結して、巻上げワイヤＡの巻取りにより吊上げ対象物Ｂを吊上げる。
【００２４】
吊上げ対象物Ｂに対するシャックルの連結は、シャックル本体１の一対の軸部３に設けられた挿入孔４を吊上げ対象物Ｂに形成された吊下げ孔ｂに一致させ、その一致する各孔４、ｂに連結軸１０を挿入したのち、連結軸１０の先端部にナット２０をねじ係合して締付ける。
【００２５】
ここで、ナット２０と線材３６の端部に設けられたリング３７は回転自在に連結されているため、ナット２０の回転による締付け時にリング３７や線材３６がナット２０の回転を阻害することがなく、ナット２０を円滑に回転させることができる。
【００２６】
吊上げ対象物Ｂを所定の高さまで吊上げると、ナット２０を取外し、連結軸１０を引き抜いて、吊上げ対象物Ｂとシャックルとの連結を解除する。
【００２７】
図３はシャックルの連結解除状態を示し、その状態において、連結軸１０およびナット２０は線材３４、３６を介してシャックル本体１に連結されているため、連結軸１０やナット２０が作業者の手から離されても落下することはなく、各部品の落下による怪我の発生を未然に防止することができ、きわめて安全である。
【００２８】
実施の形態では、ナット２０の締付けによって連結軸１０を抜け止めするシャックルを示したが、シャックルはこれに限定されるものではない。例えば、一対の軸部３に形成された挿入孔４の一方をねじ孔とし、そのねじ孔に連結軸をねじ係合して連結軸を抜け止めするようにしたシャックルであってもよい。
【００２９】
図１に示す例では、一対の軸部３のそれぞれに連結孔３３、３５を有する連結片３２ａ、３２ｂを溶接により固着し、その連結片３２ａ、３２ｂに線材３４、３６を連結するようにしたが、線材３４、３６の連結はこれに限定されるものではない。
【００３０】
図４（Ｉ）乃至（III）は線材３４、３６の連結の他の例を示し、図４（Ｉ）は軸部３に線材連結用のリング４０を溶接により固着している。図４（II）はプレス成形によって軸部３の一部に扁平部４１を設け、その扁平部４１に線材連結用の連結孔４１ａを形成している。図４（III）は軸部３に線材連結用の連結孔４２を直接形成するようにしている。
【００３１】
また、図１に示す実施の形態では、連結軸１０の頭部１１に連結片３２ａを溶接により固着し、その連結片３２ａに形成した連結孔３３に線材３４を連結するようにしたが、図５（Ｉ）に示すように、連結軸１０の頭部１１に連結孔４３を直接形成し、その連結孔４３に線材３４を連結するようにしてもよく、あるいは、図５（II）に示すように、連結軸１０の頭部１１を円板状とし、その円板状頭部１１に設けたリング４４に線材３４を連結するようにしてもよい。
【００３２】
図６（Ｉ）、（II）は、連結軸１０の脱落を防止する脱落防止手段３０およびナット２０の脱落を防止する脱落防止手段３１の他の例を示す。この例で示す脱落防止手段３０、３１においては、可とう性を有する２本の線材４５のそれぞれ両端部を折曲げ、その折曲げ端部を線材４５の重なり部に嵌合したスリーブ４６の圧着によって各線材４５の両端部にリング４７、４８を形成し、一方の線材４５の一端のリング４７をシャックル本体１の一方の軸部３に嵌合すると共に、他方の線材４５の一端のリング４７をシャックル本体１の他方の軸部に嵌合して、各軸部３の端部に形成された扁平部３ａによって抜け止めし、一方の線材４５の他端のリング４８を連結軸１０の頭部１１の外周に形成されたリング溝４９に回転自在に嵌合して抜け止めし、かつ他方の線材４５の他端のリング４８をナット２０の外周に形成されたリング溝５０に回転自在に嵌合して抜け止めするようにしている。
【００３３】
上記のような脱落防止手段３０、３１によれば、線材４５と軸部３の連結が、その軸部３に線材４５の一端のリング４７を嵌合する連結であるため、軸部３に図１に示すような連結片３２ａ、３２ｂや図４（Ｉ）に示すリング４０の取付けや、図４（II）、（III）で示す連結孔４１ａ、４２の形成を不要とすることができるため、コストの安いシャックルを得ることができる。
【００３４】
また、線材４５と連結軸１０の頭部１１の連結および線材４５とナット２０の連結がリング溝４９、５０にリング４８を回転自在に嵌合する連結であるため、連結軸１０およびナット２０をスムーズに回転させることができ、上記連結軸１０とナット２０の一方の回転によって、その連結軸１０とナット２０の取付け、取外しを行なうことができる。
【図面の簡単な説明】
【００３５】
【図１】この発明に係るシャックルの実施の形態を示す一部切欠正面図
【図２】図１の側面図
【図３】連結軸の引き抜き状態を示す正面図
【図４】（Ｉ）乃至（III）は軸部に対する線材の連結の他の例を示す正面図
【図５】（Ｉ）、（II）は連結軸に対する線材の連結の他の例を示す正面図
【図６】（Ｉ）は脱落防止手段の他の例を示す正面図、（II）は側面図
【符号の説明】
【００３６】
１  シャックル本体
２  屈曲部
３  軸部
３ａ  扁平部
４  挿入孔
１０  連結軸
１１  頭部
２０  ナット
３０、３１  脱落防止手段
３４  線材
３６  線材
３７  リング
４５  線材
４７  リング
４８  リング
４９  リング溝
５０  リング溝
【図１】
2005024091.tif 000003
【図２】
2005024091.tif 000004
【図３】
2005024091.tif 000005
【図４】
2005024091.tif 000006
【図５】
2005024091.tif 000007
【図６】
2005024091.tif 000008